(57)【要約】【課題】通常の自己支持型光ケーブルと同等の作業で布設ができ、また、余長処理のためのカール加工された巻回部分の取扱いや、布設時の処理が容易な光ケーブルとその布設方法を提供する。【解決手段】光ファイバ心線を外被で被覆した本体部１２，１２’と、該本体部に分離容易な首部で連結一体化された吊線部１３とを備えた光ケーブル１１，１１’であって、一方のケーブル端側で本体部１２，１２’と吊線部１３が分離され、分離された本体部分１２，１２’は、光ファイバの許容曲げ径以上の径で巻回保持された複数の巻回ターンからなる巻回部分１７を有し、吊線部１３上に巻回保持されている。前記の分離された本体部１２，１２’の円筒状の巻回部分１３は、カール加工で形成することができる。【選択図】図１
2008216787.tif 000002
【特許請求の範囲】
【請求項１】
光ファイバ心線を外被で被覆した本体部と、該本体部に分離容易な首部で連結一体化された吊線部とを備えた光ケーブルであって、
一方のケーブル端側で前記本体部と前記吊線部が分離され、分離された前記本体部は、光ファイバの許容曲げ径以上の径で巻かれた複数の巻回ターンからなる巻回部分を有し、前記吊線部上に巻回保持されていることを特徴する光ケーブル。
【請求項２】
前記円筒状の巻回部分は、カール加工で形成されていることを特徴とする請求項１に記載の光ケーブル。
【請求項３】
前記カール加工された巻回部分の自由端側に、カール加工されない直線部分を有することを特徴とする請求項２に記載の光ケーブル。
【請求項４】
前記カール加工された巻回部分は、中間位置の少なくとも1個所で巻回方向が反転されていることを特徴とする請求項２又は３に記載の光ケーブル。
【請求項５】
前記巻回部分は、長手方向に引き延ばした際に巻回に捻りが生じないように予め逆方向に捻回されてカール加工されていることを特徴とする請求項２又は３に記載の光ケーブル。
【請求項６】
少なくとも一方のケーブル端に光コネクタが取付けられていることを特徴とする請求項１〜５のいずれか１項に記載の光ケーブル。
【請求項７】
請求項１〜６のいずれか１項に記載の光ケーブルを用い、前記吊線部上に巻回保持されている前記巻回部分を、前記吊線部の長手方向に引き延ばして布設することを特徴とする光ケーブルの布設方法。
【請求項８】
前記巻回部分のケーブル内側の一部の巻回ターン分は、前記本体部を前記吊線部外周に密着させて巻付けるように引き延ばし、残りの巻回ターン分を前記巻回部分のケーブル成端側に集約させて束ねることを特徴する請求項７に記載の光ケーブルの布設方法。
【請求項９】
前記残りの巻回ターンを円筒状に束ね、両端の円筒開口を塞ぐことを特徴とする請求項８に記載の光ケーブルの布設方法。
【発明の詳細な説明】
【技術分野】
【０００１】
本発明は、幹線光ケーブルからクロージャを介して、加入者宅等に引き落とすのに用いるような光ケーブルとその布設方法に関する。
【背景技術】
【０００２】
近年の映像配信、ＩＰ電話、データ通信等のブロードバンドサービスの拡大により、光ファイバによる家庭向けのデータ通信サービス（ＦＴＴＨ：Fiber To The Home）の加入者が増加している。このＦＴＴＨでは、架空の幹線光ケーブルからクロージャを介して加入者宅等に引き落とす、ドロップ光ケーブルと言われている光ケーブルが多く用いられている。加入者宅への光ファイバの引き落としは、例えば、図８に示すように市街の電柱等に布設された幹線光ケーブルを、通常、クロージャと称されている接続函で分岐し、分岐された光ファイバをドロップ光ケーブルに接続して行われている
【０００３】
この光ファイバの引き落としに用いられるドロップ光ケーブルは、一般に、ケーブル内の光ファイバが１本〜数本の少ない心数で形成される。図９は、一般的なドロップ光ケーブルの一例を示す図で、図９（Ａ）は、断面矩形状のケーブル本体部２と円形の吊線部３を首部４で連結一体化した構造のものである。図９（Ｂ）は、断面円形状のケーブル本体部２’を同様に、円形の吊線部３を首部４で連結一体化した構造のものである。
【０００４】
図９（Ａ）のケーブル本体部２は、光ファイバ心線５の両側にテンションメンバ６を配し、これらを断面矩形状の本体部外被７（例えば、長辺側３ｍｍ、短辺側２ｍｍ程度）で被覆して形成される。光ファイバ心線５は標準外径１２５μｍのガラスファイバを外径２５０μｍ程度の保護被覆で被覆したものである。テンションメンバ６は、鋼線あるいは高強度繊維をマトリックス樹脂で固めたノンメタリック線材が用いられている。また、ケーブル本体部２の側面には、Ｖ字状のノッチ８が設けられ、このノッチ部分で本体部外被７を引裂いて内部の光ファイバ心線５を取り出し、分岐接続や端末形成が容易に行なえるようにされている。
【０００５】
図９（Ｂ）のケーブル本体部２’は、光ファイバ心線５の周囲にアラミド繊維等の高強度繊維６’を配して、これらを断面円形状の本体部外被７’（例えば、外径２ｍｍ程度）で被覆して形成される。高強度繊維６’は、光ファイバ心線の緩衝とテンションメンバとしての機能を有している。
吊線部３は、例えば、１.２ｍｍφ程度の鋼線からなる支持線９の外周を吊線外被１０で被覆して形成される。本体部外被７、７’と吊線外被１０には、ポリエチレン等の同じ樹脂材が用いられ、両者は細幅の首部４を介して連結する形態で、押出し成型により一括して形成される。
【０００６】
これらの光ケーブル布設の需要増に対して、ドロップ光ケーブルの布設作業の迅速化が望まれている。架空の幹線光ケーブルからの引き落とし作業は、電柱上やバケット車上というような作業環境の悪い状況で行うことが多く、ケーブルを所定の長さに切断し、ケーブル内から光ファイバ心線を取り出し、光ファイバ同士の融着接続と補強処理などの作業は簡単ではなく、時間もかかる。このため、所定の長さに切断された光ケーブルの両端に予め光コネクタを取付けておき、現場での作業軽減を図る方法がある。
【０００７】
この場合、光ケーブルの両端に予め光コネクタを取付けて接続作業の効率化をはかると共に、光ケーブルにカール部を設けて余長とし、布設長の誤差を吸収している（例えば、非特許文献１参照）。また、光ケーブル全長にカール加工を施し、既設の吊線に巻付け、長手方向に引張って布設することにより、布設作業の簡略化をはかる方法もある（例えば、特許文献１参照）。
【特許文献１】特開２００５−２９２２０５号公報
【非特許文献１】戸毛邦弘、他２名「基板整備の有効利用を可能とする光ケーブル技術」，ＮＴＴ技術ジャーナル，社団法人  電気通信協会，２００６年１２月，Ｐ．６４−６５
【発明の開示】
【発明が解決しようとする課題】
【０００８】
しかしながら、上記非特許文献１に開示の光ケーブルは、マンホールを含む地下管路に布設するに光ケーブルを対象とし、吊線部を必要としない光ケーブルであるため、架空光線路からの引き落としを行うことは難しい。
また、特許文献１に開示の光ケーブルも吊線部を有しない光ケーブルで、架空からの引き落としが可能な光ケーブルであるが、電柱間に既に布設されているケーブルや吊線等の線材にカール部を巻付けて布設される。
【０００９】
特許文献１の光ファイバは、既設の吊線部を利用する光ケーブルでの布設を対象としているためその使用場所が限られ、布設個所に既設の吊線等の線材が存在しない場合は、別途、吊線を張設する必要がある。また、この光ケーブルは、予め布設されている吊線に巻付けて支持させる必要があり、全長にわたってカール加工されていることが必要とされる。このため、吊線への巻付け作業を要することと、運搬中にカール加工部分が伸びたり曲がったりするなどの取扱い上での問題が残っていた。
【００１０】
本発明は、上述した実情に鑑みてなされたもので、通常の自己支持型光ケーブルと同等の作業で布設ができ、また、余長処理のためのカール加工された巻回部分の取扱いや、布設時の処理が容易な光ケーブルとその布設方法を提供することを目的とする。
【課題を解決するための手段】
【００１１】
本発明による光ケーブルは、光ファイバ心線を外被で被覆した本体部と、該本体部に分離容易な首部で連結一体化された吊線部とを備えた光ケーブルであって、一方のケーブル端側で本体部と吊線部が分離され、分離された本体部分は、光ファイバの許容曲げ径以上の径で巻かれた複数の巻回ターンからなる巻回部分を有し、吊線部上に巻回保持されている。前記の分離された本体部の円筒状の巻回部分は、カール加工で形成することができる。
【００１２】
また、前記カール加工された円筒状の巻回部分の自由端側に、カール加工されない直線部分を有するようにしてもよい。また、カール加工された巻回部分は、中間位置の少なくとも１個所で巻回方向が反転されているか、あるいは、巻回部分は、長手方向に引き延ばした際に巻回に捻りが生じないように予め逆方向に捻回されてカール加工されている。さらには、光ケーブルの少なくとも一方のケーブル端に、光コネクタが取付けられていることが望ましい。
【００１３】
本発明による光ケーブルの布設方法は、上記のように構成された光ケーブルを用い、吊線部上に巻回されている巻回部分を、吊線部の長手方向に引き延ばして布設するものである。また、前記巻回部分のケーブル内側の一部の巻回ターン分は、本体部を吊線部外周に密着させて巻付けるように引き延ばし、残りの巻回ターン分を巻回部分のケーブル成端側に集約させて束ねる。さらに、この巻回ターン分を円筒状に束ねて、両端の円筒開口を塞ぐようにする。
【発明の効果】
【００１４】
本発明によれば、通常の自己支持型ケーブルと同様な形態で、光ケーブルの引き落とし布設作業を短時間で行うことができる。また、余長のための円筒状の巻回部分で布設長の誤差を吸収することが可能であり、かつその官界部分の取扱いを容易にし、コンパクトに束ねられた見栄えのよい布設形態とすることができると共に、鳥獣等からの被害を最小限に抑えることが可能となる。
【発明を実施するための最良の形態】
【００１５】
図により本発明の実施の形態を説明する。図１（Ａ）は、本発明による光ケーブルを用いたケーブル引き落とし形態を説明する図、図１（Ｂ）及び図１（Ｃ）は本発明で使用する吊線部を備える光ケーブルの構成例を示す図である。図中、１１、１１’は光ケーブル、１２、１２’は本体部、１３は吊線部、１４は首部、１５は連結一体化部分、１６は分離された部分、１７は巻回部分、１８は光コネクタを示す。
【００１６】
本発明で用いられる光ケーブル１１は、図１（Ｂ）に示すように、例えば、図９（Ａ）で説明したのと同様な矩形状のケーブル断面を有する光ケーブルである。光ケーブル１１の詳細説明は省略するが、ケーブルの本体部１２は、１本以上の光ファイバ心線の両側にテンションメンバを配し、これらを断面矩形状の本体部外被（例えば、長辺側３ｍｍ、短辺側２ｍｍ程度）で被覆して形成される。光ファイバ心線は標準外径１２５μｍのガラスファイバを外径２５０μｍ程度の保護被覆で被覆したものである。テンションメンバは、高強度繊維をマトリックス樹脂で固めたノンメタリックの線材で形成されている。また、ケーブルの本体部１２の側面には、引裂き用のＶ字状のノッチが設けられていてもよいが、ノッチを有しない形状のものであってもよい。
【００１７】
また、本発明で用いられる他の光ケーブル１１’としては、図１（Ｃ）に示すように、図９（Ｂ）で説明したのと同様な円形のケーブル断面を有する光ケーブルである。この光ケーブル１１’の詳細説明は省略するが、ケーブルの本体部１２’は、光ファイバ心線の周囲にアラミド繊維等の高強度繊維を配して、これらを断面円形状の本体部外被（例えば、外径２ｍｍ程度）で被覆して形成される。高強度繊維は、光ファイバ心線の緩衝とテンションメンバとしての機能を有している。
【００１８】
上記の光ケーブル１１，１１’の吊線部１３は、例えば、１.２ｍｍφ程度の鋼線等の外周を吊線外被で被覆して形成される。上述の本体部１２、１２’の外被と吊線部１３の外被は、ポリエチレン等の同じ樹脂材で押出し成型により一括して形成され、本体部１２、１２’と吊線部１３とは、細幅の首部１４を介して連結一体化されている。したがって、本体部１２、１２’と吊線部１３とは連結一体化されているが、必要に応じて首部１４を手で切断して容易に分離できる構成のものである。
【００１９】
本発明による光ケーブルは、図１（Ａ）に示すように、例えば、電柱Ｐに架設された幹線光ケーブルＣから家屋Ｈ等に光ファイバを引き落とすドロップ光ケーブルとして用いられる。幹線光ケーブルＣからの光ファイバの分岐は、クロージャＫにより行われ、分岐された光ファイバに光ケーブル１１、１１’が光学的に接続される。光ケーブル１１、１１’は、後述するように、本体部１２、１２’と吊線部１３が連結一体化された部分１５と、本体部１２、１２’と吊線部１３が分離された部分１６とからなる。分離された部分１６の本体部１２、１２’には、分離された吊線部１３上に巻回される形で、余長のための円筒状の巻回部分１７が形成されている。
【００２０】
吊線部１３は、既設の幹線光ケーブルＣやその他の構造物を利用して固定具Ｒを取付け、光ケーブルの布設径路に沿って張設される。また、既設の幹線光ケーブルＣにスパイラルハンガーＳが布設されている場合は、これを利用して光ケーブル１１，１１’を布設するようにしてもよい。また、光ケーブル１１，１１’は予め所定の長さにカットされ、少なくとも一方の端部には光コネクタ１８を取付けて布設することで、布設作業の短縮化をはかることが望ましい。なお、光コネクタ１８は、作業現場で取付ることもできるが、予め取付けた状態で準備するようにしてもよい。
【００２１】
図２は本発明による光ケーブルの一例を説明する図である。本発明による光ケーブル１１，１１’は、図１でも説明したように、本体部１２、１２’と吊線部１３が連結一体化された部分１５と、本体部１２、１２’と吊線部１３が分離された部分１６とからなる。分離された部分１６の本体部１２，１２’は、円筒状に巻回されて分離された吊線部１３上で巻回状態が保持される。巻回状態の保持は、布設前の梱包保管や運搬時は、結束部材等を用いて円筒状の巻回部分１７がばらけないようにする程度でよい。また、本体部１２、１２’と吊線部１３が連結一体化された部分１５の両端は、外力等により分離状態が進行しないように結束紐等を用いて固定しておくとよい。
【００２２】
円筒状の巻回部分１７は、光ケーブルの許容曲げ径以上の径Ｄで巻かれる。このときの曲げ径Ｄは、巻回部分１７を伸ばした状態で実用上問題となるような伝送損失以下に抑えられていることが望ましい。例えば、波長１.５５μｍにおける曲げ径３０ｍｍでの曲げ損失が、０.５ｄＢ／１０ターン以下である光ファイバ心線が用いられていることが好ましい。さらには、波長１.５５μｍにおける曲げ径１５ｍｍでの曲げ損失が０.５ｄＢ／１０ターン以下となるような、許容曲げ径が小径の光ファイバ心線が用いられていることが好ましい。
【００２３】
なお、上記の条件を満たす光ケーブルの光ファイバとして、例えば、波長１.３μｍにおけるPetermann−Iの定義によるモードフィールド径（ＭＦＤ：Mode Field Diameter）が９.０μｍ以下である光ファイバが用いられていることが好ましい。さらには、波長１.５５μｍにおけるモードフィールド径を８.０μｍとすることにより、側圧によるマイクロベンドや曲げ損失を抑えて、許容曲げ径を小さくすることが可能となる。
【００２４】
上記の点から光ケーブル１１，１１’の曲げ径Ｄを、例えば、３０ｍｍ程度とする。この場合、円筒上の巻回部分１７の長さＬは、例えば、１ｍ位（３００ターン程度）とすることで、２０ｍ程度の余長をとることができる。
ここで、光ケーブル１１，１１’による布設距離を、例えば、４５〜５０ｍ程度とすると、本体部１２、１２’と吊線部１３が連結一体化された部分１５を４０ｍ程度とし、本体部１２、１２’と吊線部１３が分離された部分１６を１０ｍ程度として、この部分を円筒状に巻回して余長分とする。なお、本体部１２，１２’の両端には、光コネクタ１８を取付けておくことが好ましい。
【００２５】
すなわち、本発明では、光ケーブルの大部分は本体部と吊線部とが連結一体化されたケーブル構造とし、布設長の誤差の吸収に必要な長さ分だけを余長部として巻回部分で形成している。これによって、大部分は通常のドロップ光ケーブルのように容易に布設することができる。そして、巻回部分は、必要最小限に留めて、取扱いを容易にしている。
【００２６】
図３は、円筒状の巻回部分１７をカール加工で形成する一例を示す図である。巻回部分１７は、結束紐等を用いて巻回状態を保持することは可能であるが、単に巻回するだけでは巻回ターンが交差したりすることがあり、円筒状に整列保持させることが難しい。したがって、図３（Ａ）に示すように、吊線部１３が分離された巻癖のない本体部１２、１２’を円柱状の巻付治具１９を用いて所定の径で整列巻する。
【００２７】
次いで、図３（Ｂ）に示すように、加熱装置２０で加熱処理して外被部分含めて本体部１２、１２’の全体をカール加工し、巻回部分１７の巻回ターンが円筒状に整列するように整え、その巻回状態を保持する。このカール加工された円筒状の巻回部分１７は、吊線部１３の長手方向に沿ってコイルばねのように伸縮させることができる。加熱手段２０ａとしては、ヒータ加熱や赤外線加熱などの種々の方法を用いることができる。
なお、図１（Ｂ）に示すような光ケーブル１１で、本体部１２のテンションメンバに鋼線が用いられている場合は樹脂をカール加工する程度の加熱では、テンションメンバが、カール加工されず、形状保持が難しい。このため、光ケーブル１１は、例えば、高強度繊維をマトリックス樹脂で固めたＦＲＰを用いたノンメタリックのテンションメンバで形成されていることが望ましい。
【００２８】
巻回部分１７は、上記のカール加工により巻回形状が保持された後、ばらけないように円筒状に整列保持させた状態に結束しておき、巻回部分１７内に分離されている部分の吊線部１３を挿通し、図２で示したように吊線部１３上に巻回保持された状態とされる。巻回部分１７は、集約されているため吊線部１３の挿通を容易に行うことができる。なお、吊線部１３は、作業現場の状況に合わせて、巻回部分１７内に挿通しない形態で梱包保管するようにしてもよい。
この状態とされた光ケーブル１１，１１’は、連結一体化された部分１５を所定の径で巻取り結束し、また、巻回部分１７から伸びている分離された吊線部１３を別に巻取って結束する。この状態で梱包保管することで、運搬中に巻回部分１７が伸びたり、曲がる等の取扱い上の問題を解消することができる。
【００２９】
図４は、図２の本体部と吊線部が分離された部分１６の他の実施形態を示す図である。この実施形態は、円筒状の巻回部分１７の自由端側に巻回されてない直線部分２１を設けるようにするものである。例えば、図１（Ａ）で、光コネクタ１８等による成端個所が家屋Ｈの宅内にあり、宅内の配線管等を通して布設するような場合がある。このような場合には、巻回部分１７を両端固定で直線状に引き延ばすと捻りや曲がりが残って配線しにくいことがある。したがって、前記のように、巻回部分１７の先端側に、宅内への引込み長さ相当分が直線部分２１で形成されていると、宅内の布設作業が容易となる。
【００３０】
図５は、図２の本体部と吊線部が分離された部分１６のその他の実施形態を示す図である。巻回部分１７は、通常、巻回方向が一方向の螺旋状で巻かれていて、巻回ターンの外側の面は巻回全長に亘って外側に位置し、内側の面は巻回全長に亘って内側に位置する。このため、巻回部分を長手方向に引き延ばすと、本体部１２，１２’に捩れが生じ、内部の光ファイバ心線の伝送損失を増加させる恐れがある。そこで、巻回部分１７の途中に巻回方向を反転させた反転部２２を少なくとも１箇所設けることにより、この捩れを軽減することができ、伝送損失の増加を低減することができる。なお、反転部２２を複数設ける場合は、奇数個所に設けるようにする。
【００３１】
また、巻回部分１７に反転部２２を設ける代わりに、本体部１２，１２’を巻回してカール加工するに際して、巻回部分１７を引き延ばしたときに、本体部１２，１２’に捻回が生じないように、予め捻回を加えながら巻回し、この後にカール加工するようにしてもよい。なお、本体部内の光ファイバ心線は、本体部外被と一体になっているので、巻回部分を引き延ばして布設した際には、捻回による伝送損失の増加を低減することができる。
【００３２】
次に、図６，図７及び図１により、本発明による光ケーブルの布設方法について説明する。本発明による光ケーブル１１、１１’は、上述したように所定の長さの本体部１２、１２’と吊線部１３が連結一体化された部分１５に連続して、所定の長さの本体部１２、１２’と吊線部１３が分離された部分１６を有している。図１（Ａ）に示すように、連結一体化された部分１５は、吊線部１３を既設の太いケーブルや構造物とを用いて、引き落とし布設径路に沿って自己支持型の光ケーブルとして布設される。光ケーブルの本体部１２、１２’の一方の端部は、吊線部１３から分離され光コネクタ１８等を用いてクロージャＫ内の端子部に接続される。
【００３３】
図６に示すように、連結一体化された部分１５の本体部１２、１２’の他方の端部は、吊線部１３が分離された部分１６の本体部１２、１２’が連続していて、円筒状の巻回部分１７が残りの吊線部１３上に沿って引き延ばされる。巻回部分１７の終端は、図１（Ａ）に示すように、光コネクタ１８等を用いて家屋Ｈの成端箱あるいは宅内に引き込まれて成端される。巻回部分１７は、布設長に応じて伸張量が自由に調整でき、ケーブル布設の余長とすることができる。
【００３４】
しかし、図６のように布設された光ケーブル１１、１１’は、長手方向に引き延ばされ巻回部分１７は、吊線部１３上に吊支持されているだけであると、障害物や重機等が巻回ループを引っ掛けて垂れ下がりを生じることがある。また、カラス等の鳥類が引き延ばされた巻回ループを巣作り用の材料と見立てて引っ張ったり遊んだりすることがある。さらには、巻回部分に虫が巣を造ったり、氷雪が付着して溜まり過荷重となるなどの問題がある。
【００３５】
図７は、上記のような問題を解消する光ケーブルの布設方法の一例を示す図である。図７（Ａ）に示すように、円筒状の巻回部分１７を本体部１２、１２’から分離された吊線部１３上に均一のピッチで引き延ばすのではなく、巻回部分１７の本体部１２、１２’を吊線部１３の外周に巻付けるようにたぐり寄せて引き延ばす。そして、余った巻回部分１７をケーブルの成端側に円筒状なるように集約し、保持具２３で結束する。この結果、巻回ループが引っ張られて垂れ下がりを生じたり、鳥類がこれで遊ぶのを防止することができる。
【００３６】
また、図７（Ｂ）に示すように、巻回部分１７をケーブルの成端側に集約すると共に、円筒状になるように集約された巻回部分１７の両端の開口面を、蓋部材２４で塞ぎ、固定部材２５等で固定するのが好ましい。これにより、円筒状の巻回部分１７内に、鳥類が入り込んだり、内部に虫が入り込んで巣を造るのを完全に防止することができる。
【図面の簡単な説明】
【００３７】
【図１】本発明の実施形態の概略を説明する図である。
【図２】本発明による光ケーブルの一例を説明する図である。
【図３】本発明における円筒状の巻回部分のカール加工を説明する図である。
【図４】本発明における本体部と吊線部が分離された部分の他の実施形態を示す図である。
【図５】本発明における本体部と吊線部が分離された部分のその他の実施形態を示す図である。
【図６】本発明による光ケーブルの布設方法の一例を説明する図である。
【図７】本発明による光ケーブルの布設方法の他の例を説明する図である。
【図８】従来の光ケーブルの引き落とし方法を説明する図である。
【図９】従来のドロップ光ケーブルの構成例を説明する図である。
【符号の説明】
【００３８】
１１、１１’…光ケーブル、１２、１２’…本体部、１３…吊線部、１４…首部、１５…連結一体化部分、１６…分離部分、１７…巻回部分、１８…光コネクタ、１９…巻付冶具、２０…加熱装置、２０ａ…加熱手段、２１…直線部分、２２…反転部、２３…保持具、２４…蓋部材、２５…固定部材。
【図１】
2008216787.tif 000003
【図２】
2008216787.tif 000004
【図３】
2008216787.tif 000005
【図４】
2008216787.tif 000006
【図５】
2008216787.tif 000007
【図６】
2008216787.tif 000008
【図７】
2008216787.tif 000009
【図８】
2008216787.tif 000010
【図９】
2008216787.tif 000011